(57)【特許請求の範囲】
【請求項１】
窓ガラスに接触角が１０度未満となる超親水性のコーティング剤を塗布した表面処理を施し、少なくとも当該窓ガラスサッシ取り付け部分の屋外側のシーリング材を、撥水成分の溶出のない材料を使用した不定形シーリング材、若しくは撥水成分の溶出のない材料を使用した定型ガスケットで構成し、さらに、該サッシ下枠には両端部に立ち上がり堰等の水返し機構を有した外壁より所定突き出しの水切りを設置するとしたことを特徴とする恒常的に雨水がガラス面に当たる条件下における建築物の開口部構造と外壁パネル。
【請求項２】
前記の接触角が１０度未満となる超親水性のコーティング剤を塗布した表面処理が、コーティング剤としてアナターゼ型二酸化チタンと蓄水性物質（珪酸化合物等）を含有することで、光触媒効果を発揮できる薄膜を形成したものであることを特徴とする請求項１記載の恒常的に雨水がガラス面に当たる条件下における建築物の開口部構造と外壁パネル。
【請求項３】

前記の撥水成分の溶出のない材料を使用した不定形シーリング材として、２成分系ポリサルファイド系シーリング材、あるいは、２成分系ポリイソブチレン系シーリング材を使用したことを特徴とした、請求項１記載の恒常的に雨水がガラス面に当たる条件下における建築物の開口部構造と外壁パネル。
【請求項４】

撥水成分の溶出のない材料を使用した定形ガスケットとして、ＥＰＤＭクロロプレンゴム、塩ビ、あるいは、シリコンを使用したことを特徴とした、請求項１記載の恒常的に雨水がガラス面に当たる条件下における建築物の開口部構造と外壁パネル。
【発明の詳細な説明】
【０００１】
【発明の属する技術分野】
本発明は、恒常的に雨水がガラス面に当たる条件下における建築物の開口部構造に関する。
【０００２】
【従来の技術】
建築物の開口部は、採光のために設けられ、ガラス等の透光性の遮蔽材料と周辺部材で構成されている。一般に、開口部に使用されるガラス等の透光性材料には、光の透過だけでなく、開口部により隔てられる空間同志が見通せることが要求される。従って、ここで使用されるガラス等に塵埃等の異物が付着することは、その要求性能を満たせなくなることになるので、恒常的に雨水がガラス面に当たる条件下の建築物の開口部にあっては、頻繁に清掃が実施される。特にトップライトのような水平に近い開口部では、塵埃が堆積しやすい形状であり、より頻繁な清掃が必要とされる。
【０００３】
清掃を行なう際には、特に屋外に面した部分の清掃には、安全な足場等が確保されないことが多々あり、屋上よりゴンドラやブランコを吊るして行なう危険が伴う作業となっている。
【０００４】
清掃手間を減らすために予め清掃用ロボットなどが設置されることがあるが、かなりコスト高になるし、清掃自体もメンテナンス費用に占める割合が大きく、ビルを管理、運営する上で大きな問題となっている。
【０００５】
かかる事情からイージーメンテナンス化された汚れない窓ガラスの提案がなされている。
【０００６】
すなわち、ガラスの場合、清掃頻度の低減を考慮して、表面に撥水処理をしたもの、逆に表面を親水処理したものが考えられている。
【０００７】
【発明が解決しようとする課題】
しかるに、撥水処理したものについては、試験の結果、清掃のしやすさは確認できたが、無処理のガラスと同様に汚れが付着するために、清掃頻度の低減にはつながらない。また、表面を親水処理したガラスは、雨水による洗浄により、汚れの付着は低減されるが、ガラスとサッシの取り付け部分に施工されるシリコーン系シーリング材から溶出する撥水成分が親水処理されたガラスに付着して部分的に汚れる部分が発生することが判明し、いずれにしても、単に撥水、親水性のガラスを使用するだけでは清掃頻度の低減には直結しないことが判明した。
【０００８】
さらに、ガラス清掃に伴い、汚染物質を含んだ洗浄水が開口下部へ伝達し、周辺部材を汚す状況があり、ガラス清掃と共に外壁清掃も行なう必要が生じている。
【０００９】
本発明は、叙上の事情に鑑みなされたもので、その目的とするところは、ガラス面の自己洗浄が期待し得ると共にシーリング材によるガラス、周辺部材の二次汚染を解消した、恒常的に雨水がガラス面に当たる条件下における建築物の開口部構造を提供することにある。
【００１０】
上記目的を達成するために、本願発明の恒常的に雨水がガラス面に当たる条件下における建築物の開口部構造の構造は、接触角が１０度未満となる超親水性のコーティング剤を窓ガラスに塗布した表面処理を施し、少なくとも当該窓ガラスサッシ取り付け部分の屋外側のシーリング材を、撥水成分の溶出のない材料を使用した不定形シーリング材、若しくは撥水成分の溶出のない材料を使用した定型ガスケットで構成し、さらに、該サッシ下枠には両端部に立ち上がり堰等の水返し機構を有した外壁より所定突き出しの水切りを設置するとしたことを特徴とする。
【００１１】
【作用】
接触角が１０度未満の超親水表面処理により、窓ガラス表面を水に濡れやすく、汚れを流しやすくなるが、この際、窓ガラスサッシ取り付け部分の屋外側のシーリング材からは、その材質が撥水成分の溶出のない不定形シーリング材若しくは定型ガスケットであること故に不都合な撥水成分の溶出が無く、窓ガラス面の汚染は無い。
【００１２】
さらに、サッシ下枠の両端部に立ち上がり堰等の水返し機構を有し、外壁より突き出た水切りによって叙上洗浄水は外壁を伝わることはないので、外壁面を汚染することもない。
【００１３】
【発明の実施の形態】
本発明の実施の態様を図１ａ、ｂに基づいて説明する。
【００１４】
図中１はサッシ枠２に収まった窓ガラスで、接触角が１０度未満となる超親水表面処理が施されるものである。ここで、「接触角が１０度未満となる超親水表面処理」とは、窓ガラスに薄膜コーティングする表面処理、すなわち、窓ガラスにコーティング剤を塗布して薄膜を形成する際に、窓ガラス表面と水滴の接触角が１０度未満となる超親水性コーティング剤を使用することを意味する。
【００１５】
接触角が１０度未満の超親水状態とするには、アナターゼ型二酸化チタンと蓄水性物質（珪酸質化合物等）を含有することで光触媒効果を発揮できるコーティング剤を塗布して、窓ガラス表面に薄膜を形成したもの等を使用する。図２に示すように、このような光触媒コーティングは「接触角が１０度未満」となる条件を満たすものである。接触角が１０度未満の条件では、汚染物質の付着界面に水が浸入することにより、簡単に洗い流せることが確認されており、雨水が当たる、または水をかけるだけで塵埃の除去が可能となる。
【００１６】
図２は、コーティング剤を、一般塗料、親水性防汚塗料、光触媒コーティング剤の各塗料とした場合の「水との濡れ性」と「雨筋汚れ」の関係を示している。図２に示す如く、一般的な親水性防汚塗料の場合、接触角はせいぜい２０度〜４０度程度。これに対して、前記のような光触媒は０度〜１０度程度と極めて高い親水性（超親水性）があり、極めて高い防汚性を発揮する。
【００１７】
光触媒は、この「超親水性」で防汚塗料よりはるかに優れた防汚性を発揮する。
【００１８】
光触媒に光が当たることにより、超親水性機能を発現し、雨で汚れを流れやすくする効果が得られる。
【００１９】
触媒活性が高い酸化チタン膜を得るためにはアナターゼ型の結晶系が「高い割合で存在する（リッチである）」必要があり、本発明ではこれを用い、これに加えて蓄水性物質を同拌させて、「超親水」を確実なものとしている。
【００２０】
該窓ガラス１のサッシ枠２との隙間に充填するグレイジング用シーリング材には、屋外側のみ「撥水成分の溶出のない」材料、例えば、２成分形ポリサルファイド系、２成分形ポリイソブチレン系の材料を使用したシーリング材あるいはＥＰＤＭクロロプレンゴム、塩ビ、シリコーンなどの材料を使用した定型ガスケット３を使用する。屋内側には、水に濡れて撥水成分が溶け出る心配がないため、ガラス１に接着する不定形シーリング材３′（あるいは定型ガスケット）であれば何でも適用できる。しかして、一般に使用されるシリコーン系シーリング材を屋外側に使用していないので、同材料から揮散する撥水性の成分が周辺に付着し、親油性の汚染物質を付着し易くする状態を避けることができる。
【００２１】
サッシ下枠２ａには、壁面４より２０ｍｍ程突出した水切り５を開口幅より長く設置し、その端部に立ち上がりピース５ａ、５ｂを取り付ける。これにより、ガラス１または水切り５に付着した汚れが、雨水や洗浄水により下部壁面４へ伝達されることがなく、周辺壁面を汚すことがない。
【００２２】
しかして、雨水による自己洗浄を期待できる場合には、清掃がほとんど不要となり、雨水が当たらない場合には、少量の水をかけるだけで清掃が可能となる。
【００２３】
雨水がかかる部分で表記の仕様の開口部を屋外暴露して１年の結果、全く清掃を行なわなかったが、光の透過性に問題はなく、清掃頻度の低減を図ることができた。
【００２４】
【発明の効果】
以上の如く本発明は構成されるので、窓ガラス、外壁における究極のイージーメンテナンスを達成することができた。
【図面の簡単な説明】
【図１】ａ、ｂは本発明の開口部構造の正面図、ａ図中矢視ｂ−ｂ端面図である。
【図２】水との濡れ性と雨筋汚れの関係図である。
【符号の説明】
１  ；  窓ガラス
２  ；  サッシ枠
３  ；  ガスケット
３′  ；  不定シーリング材
４  ；  壁面
５  ；  水切り
５ａ、５ｂ  ；  立ち上がりピース
【図１】
0004518227.tif 000002
【図２】
0004518227.tif 000003